(57)【要約】  例示的な実施態様は、ディスプレイを含む表示部と、当該表示部に回転可能に取り付けられた基部とに関する。当該基部は、第１カバー部と、少なくとも１つの締結具と、少なくとも１つの締結具によって第１カバー部に取り付けられた第２カバー部とを含んでもよく、第２カバー部は、当該第２カバー部の表面上にテクスチャー加工されたパターンを含み、当該テクスチャー加工されたパターンは、長手線に沿った方向に延びており、当該テクスチャー加工されたパターンは、交互の凹状隆起部および凸状溝部を含み、当該テクスチャー加工されたパターンの少なくとも１つの凹状隆起部状に配置された少なくとも１つの足パッド部材を含んでもよく、前記少なくとも１つの足パッド部材は、長手線に沿った方向に延びており、当該少なくとも１つの足パッド部材は、当該少なくとも１つの締結具の少なくとも一部を覆うように構成されている。
2021532452.tif 000002
【特許請求の範囲】
【請求項１】
ディスプレイを含む表示部と、
前記表示部に回転可能に取り付けられた基部とを備え、前記基部は、
第１カバー部と、
少なくとも１つの締結具と、
前記少なくとも１つの締結具によって第１カバー部に取り付けられた第２カバー部とを含み、前記第２カバー部は、前記第２カバー部の表面上にテクスチャー加工されたパターンを含み、前記テクスチャー加工されたパターンは、長手線に沿った方向に延在し、前記テクスチャー加工されたパターンは、交互の凹状隆起部および凸状溝部を含み、前記基部はさらに、
前記テクスチャー加工されたパターンの少なくとも１つの凹状隆起部に配置された少なくとも１つの足パッド部材を含み、前記少なくとも１つの足パッド部材は前記長手線に沿った方向に延在しており、前記少なくとも１つの足パッド部材は、前記少なくとも１つの締結部の少なくとも一部分を覆うように構成されている、ポータブルコンピューティング装置。
【請求項２】
前記基部は、前記長手線に沿った方向に延びる第１の縁部と、前記第１の縁部の反対側の、前記長手線に沿った方向に延びる第２の縁部とを含み、前記少なくとも１つの足パッド部材は、前記第１の縁部または前記第２の縁部の少なくとも一方に沿って配置されている、請求項１に記載のポータブルコンピューティング装置。
【請求項３】
前記少なくとも１つの足パッド部材は、前記第１の縁部に配置された第１の足パッド部材と、前記第２の縁部に配置された第２の足パッド部材とを含む、請求項２に記載のポータブルコンピューティング装置。
【請求項４】
前記第２カバー部の表面に凹部をさらに備え、前記凹部は、前記少なくとも１つの足パッド部材を受容するように構成されている、請求項１に記載のポータブルコンピューティング装置。
【請求項５】
前記凹部は第１の形状を有し、前記少なくとも１つの足パッド部材は第２の形状を有し、前記第２の形状は前記第１の形状と同じである、請求項４に記載のポータブルコンピューティング装置。
【請求項６】
前記少なくとも１つの締結具は、前記凹部内に配置される、請求項４に記載のポータブルコンピューティング装置。
【請求項７】
前記凹部は、前記長手線に沿った方向に延在する、請求項４に記載のポータブルコンピューティング装置。
【請求項８】
前記テクスチャー加工されたパターンの各凹状隆起部は、互いに対して同じ高さを有する、請求項１に記載のポータブルコンピューティング装置。
【請求項９】
前記テクスチャー加工されたパターンの少なくとも１つの凹状隆起部は、他の凹状隆起部に対して異なる高さを有する、請求項１に記載のポータブルコンピューティング装置。
【請求項１０】
前記第２カバー部は、第１の表面と、前記第１の表面の反対側の第２の表面とを含み、前記第１の表面は前記第１カバー部により近く、前記少なくとも１つの足パッド部材は、前記テクスチャー加工されたパターンの少なくとも１つの凹状隆起部よりも前記第２カバー部の第１の表面から離れて位置している、請求項１に記載のポータブルコンピューティング装置。
【請求項１１】
前記第１カバー部は第１の湾曲した側壁部を有し、前記第２カバー部は第２の湾曲した側壁部を有し、前記第２の湾曲した側壁部は、連続的な側壁を形成するために前記第１の湾曲した側壁部に位置合わせされており、前記凹状隆起部または前記凸状溝部のうちの少なくとも１つは、前記側壁を形成する、請求項１に記載のポータブルコンピューティング装置。
【請求項１２】
前記第１の湾曲した側壁部は第１の曲率半径を有し、前記第２の湾曲した側壁部は第２の曲率半径を有し、前記第２の曲率半径は前記第１の曲率半径と同じである、請求項１１に記載のポータブルコンピューティング装置。
【請求項１３】
前記第１カバー部は、前記長手線に沿った方向に延びる第１の長さを有し、前記第２カバー部は、前記長手線に沿った方向に延びる第２の長さを有し、前記第２の長さは前記第１の長さより小さい、請求項１１に記載のポータブルコンピューティング装置。
【請求項１４】
前記第１カバー部は、前記長手線と直交する方向に延びる第３の長さを有し、前記第２カバー部は、前記長手線と直交する方向に延びる第４の長さを有し、前記第４の長さは、前記第３の長さより小さい、請求項１３に記載のポータブルコンピューティング装置。
【請求項１５】
前記第１カバー部は、第１の表面と、当該第１の表面の反対側の第２の表面とを有し、
前記第２カバー部は、第１の表面と、当該第１の表面の反対側の第２の表面とを有し、前記第２カバー部の前記第１の表面は、前記第１カバー部の前記第２の表面に結合されており、前記第２カバー部の前記第２の表面は、前記テクスチャー加工されたパターンを含み、
前記第２カバー部の前記第１の表面と１つの凹状隆起部の底面との間の距離は第１の深さを規定し、前記第２のカバーの前記第１の表面と前記少なくとも１つの足パッド部材の底面との間の距離は第２の深さを規定し、前記第２の深さは前記第１の深さより大きい、請求項１に記載のポータブルコンピューティング装置。
【請求項１６】
前記少なくとも１つの足パッド部材は、前記基部の縁部に最も近接して位置する凹状隆起部上に結合されている、請求項１５に記載のポータブルコンピューティング装置。
【請求項１７】
前記第１カバー部は第１の湾曲した側壁部を含み、前記第２カバー部は第２の湾曲した側壁部を含み、前記第２の湾曲した側壁部は、連続的な側壁を形成するために、前記第１の湾曲した側壁部に位置合わせされている、請求項１５に記載のポータブルコンピューティング装置。
【請求項１８】
ディスプレイと、
第１の湾曲した側壁部を有する第１カバー部と、
第２の湾曲した側壁部を有する第２カバー部とを備え、前記第２の湾曲した側壁部は、連続的な側壁を形成するために前記第１の湾曲した側壁部に位置合わせされており、前記第２カバー部は、前記第２カバー部の表面の上にテクスチャー加工されたパターンを含み、前記テクスチャー加工されたパターンは、交互の凹状隆起部および凸状溝部を含み、前記凹状隆起部または前記凸状溝部のうちの前記少なくとも１つは、側壁を形成する、ポータブルコンピューティング装置。
【請求項１９】
前記テクスチャー加工されたパターンは、長手線に沿った方向に延びている、請求項１８に記載の装置。
【請求項２０】
前記第２カバー部の前記表面に結合された少なくとも１つの足パッド部材をさらに備え、前記少なくとも１つの足パッド部材は、長手線に沿った方向に延びている、請求項１８に記載の装置。
【請求項２１】
前記第１の湾曲した側壁部は第１の曲率半径を有し、前記第２の湾曲した側壁部は第２の曲率半径を有し、前記第２の曲率半径は前記第１の曲率半径と同じである、請求項１８に記載の装置。
【請求項２２】
前記第１カバー部は、長手線に沿った方向に延びる第１の長さを有し、前記第２カバー部は、前記長手線に沿った方向に延びる第２の長さを有し、前記第２の長さは前記第１の長さより小さい、請求項１８に記載の装置。
【請求項２３】
前記第１カバー部は、前記長手線に沿って直角方向に延びる第３の長さを有し、前記第２カバー部は、前記長手線に沿って直角方向に延びる第４の長さを有し、前記第４の長さは前記第３の長さより小さい、請求項１８に記載の装置。
【請求項２４】
基部を備え、前記基部は、
第１の表面と、前記第１の表面に対向する第２の表面とを有する第１カバー部と、
第１の表面と、当該第１の表面に対抗する第２の表面とを有する第２カバー部とを含み、前記第２カバー部の前記第１の表面は前記第１カバー部の前記第２の表面に結合されており、前記第２カバー部の前記第２の表面はテクスチャー加工されたパターンを含み、前記テクスチャー加工されたパターンは交互の凹状隆起部と凸状溝部とを含み、前記第２カバー部の前記第１の表面と１つの凹状隆起部の底面との間の距離は第１の深さを規定し、前記第２カバー部は、前記第２カバー部の前記第２の表面に配置された少なくとも１つの足パッド部材を含み、前記第２のカバーの前記第１の表面と前記少なくとも１つの足パッド部材の底面との間の距離は第２の深さを規定し、前記第２の深さは、前記第１の深さより大きい、ポータブルコンピューティング装置。
【請求項２５】
前記少なくとも１つの足パッド部材は、前記テクスチャー加工されたパターンの少なくとも１つの凹状隆起部上に結合されている、請求項２４に記載の装置。
【請求項２６】
前記少なくとも１つの足パッド部材は、前記基部の縁部に最も近接して位置する凹状隆起部上に結合されている、請求項２５に記載の装置。
【請求項２７】
前記第１カバー部は第１の湾曲した側壁部を含み、前記第２カバー部は第２の湾曲した側壁部を含み、前記第２の湾曲した側壁部は、連続的な側壁を形成するために、前記第１の湾曲した側壁部に位置合わせされている、請求項２４に記載の装置。
【発明の詳細な説明】
【技術分野】
【０００１】
本出願は、２０１８年７月１２日に出願された「TEXTURED PATTERN SURFACE FOR A COMPUTING DEVICE」と題する米国特許非仮出願第１６／０３３,９９８号の継続出願であり、その優先権を主張するものであり、その開示はその全体が参照により本明細書に組み込まれる。
【０００２】
本開示は、概して、コンピューティング装置に関し、より具体的には、テクスチャー加工されたパターン表面を有するコンピューティング装置に関する。
【背景技術】
【０００３】
ポータブルコンピューティング装置は、表示部と、当該表示部に取り付けられた基部とを含み得る。表示部および基部の各外面は、ユーザがコンピューティング装置の上部と下部とを区別できないように滑らか（例えば、平面、平坦、非テクスチャ表面など）である。したがって、現在の技術の短所に対処して他の新規かつ革新的な特徴を提供するためのシステムおよび装置の必要性が存在する。
【発明の概要】
【課題を解決するための手段】
【０００４】
一般的な態様において、表示部は、ディスプレイと、当該表示部に回転可能に取り付けられた基部とを含む。当該基部は、第１カバー部と、少なくとも１つの締結具と、少なくとも１つの締結具によって第１カバー部に取り付けられた第２カバー部とを含んでもよく、第２カバー部は、当該第２カバー部の表面上にテクスチャー加工されたパターンを含み、当該テクスチャー加工されたパターンは、長手線に沿った方向に延在し、当該テクスチャー加工されたパターンは、交互の凹状隆起部および凸状溝部を含み、当該基部は、当該テクスチャー加工されたパターンの少なくとも１つに配置された少なくとも１つの足パッド部材を含み得、当該少なくとも１つの足パッド部材は、当該長手線に沿った方向に延在し、当該少なくとも１つの足パッド部材は、当該少なくとも１つの締結具の少なくとも一部を覆うように構成されている。
【０００５】
別の一般的な態様では、ポータブルコンピューティング装置は、ディスプレイと、第１の湾曲した側壁部を有する第１カバー部と、第２の湾曲した側壁部を有する第２カバー部とを含み得る。第２の湾曲した側壁部は、連続的な側壁を形成するために、第１の湾曲した側壁部に位置合わせされ得る。第２カバー部は、当該第２カバー部の表面上にテクスチャー加工されたパターンを含み得る。当該テクスチャー加工されたパターンは、交互の凹状隆起部および凸状溝部を含み得る。凹状隆起部または凸状溝部のうちの少なくとも１つは、側壁を形成し得る。
【０００６】
別の一般的な態様では、ポータブルコンピューティング装置は、第１の表面および当該第１の表面の反対側の第２の表面を有する第１カバー部と、第１の表面および当該第１の表面の反対側の第２の表面を有する第２カバー部とを含む基部を含み得る。第２カバー部の第１の表面は、第１カバー部の第２の表面に取り付けられ得る。第２カバー部の第２の表面は、テクスチャー加工されたパターンを含み得る。テクスチャー加工されたパターンは、凹状隆起と凸状溝部とを含んでもよく、第２カバー部の第１の表面と１つの凹状隆起の底面との間の距離は第１の深さを規定しており、第２カバー部は、当該第２カバー部の第２の表面に配置された少なくとも１つの足パッド部材を含み、第２のカバーの第１の表面と少なくとも１つの足パッド部材の底面との間の距離は第２の深さを規定しており、当該第２の深さは当該第１の深さより大きい。
【０００７】
１つまたは複数の実施形態の詳細は、添付の図面および以下の説明に記載される。他の特徴は、当該説明および図面ならびに特許請求の範囲から明らかとなるであろう。
【図面の簡単な説明】
【０００８】
【図１Ａ】本明細書で説明される実施形態に従うポータブルコンピューティング装置の様々な図である。
【図１Ｂ】本明細書で説明される実施形態に従うポータブルコンピューティング装置の様々な図である。
【図１Ｃ】本明細書で説明される実施形態に従うポータブルコンピューティング装置の様々な図である。
【図１Ｄ】本明細書で説明される実施形態に従うポータブルコンピューティング装置の様々な図である。
【図１Ｅ】本明細書で説明される実施形態に従うポータブルコンピューティング装置の様々な図である。
【図１Ｆ】本明細書で説明される実施形態に従うポータブルコンピューティング装置の様々な図である。
【図１Ｇ】本明細書で説明される実施形態に従うポータブルコンピューティング装置の様々な図である。
【図１Ｈ】本明細書で説明される実施形態に従うポータブルコンピューティング装置の様々な図である。
【図１Ｉ】本明細書で説明される実施形態に従うポータブルコンピューティング装置の様々な図である。
【図１Ｊ】本明細書で説明される実施形態に従うポータブルコンピューティング装置の様々な図である。
【図２Ａ】別の例示的な実施形態に従うポータブルコンピューティング装置の別の例の様々な図である。
【図２Ｂ】別の例示的な実施形態に従うポータブルコンピューティング装置の別の例の様々な図である。
【図２Ｃ】別の例示的な実施形態に従うポータブルコンピューティング装置の別の例の様々な図である。
【図２Ｄ】別の例示的な実施形態に従うポータブルコンピューティング装置の別の例の様々な図である。
【図２Ｅ】別の例示的な実施形態に従うポータブルコンピューティング装置の別の例の様々な図である。
【図２Ｆ】別の例示的な実施形態に従うポータブルコンピューティング装置の別の例の様々な図である。
【図２Ｇ】別の例示的な実施形態に従うポータブルコンピューティング装置の別の例の様々な図である。
【図２Ｈ】別の例示的な実施形態に従うポータブルコンピューティング装置の別の例の様々な図である。
【図３Ａ】図２Ｆのポータブルコンピューティング装置の一部分の図である。
【図３Ｂ】別の例示的な実施形態に従うポータブルコンピューティング装置の一部分の図である。
【図３Ｃ】別の例示的な実施形態に従うポータブルコンピューティング装置の一部分の図である。
【図４Ａ】別の例示的な実施形態に従うポータブルコンピューティング装置の一部分（底面部分）の図である。
【図４Ｂ】別の例示的な実施形態に従うポータブルコンピューティング装置の一部分（底面部分）の図である。
【図４Ｃ】別の例示的な実施形態に従う底面部分の図である。
【図５Ａ】他の例示的な実施形態に従うポータブルコンピューティング装置の例の様々な図である。
【図５Ｂ】他の例示的な実施形態に従うポータブルコンピューティング装置の例の様々な図である。
【図５Ｃ】他の例示的な実施形態に従うポータブルコンピューティング装置の例の様々な図である。
【図５Ｄ】他の例示的な実施形態に従うポータブルコンピューティング装置の例の様々な図である。
【図５Ｅ】他の例示的な実施形態に従うポータブルコンピューティング装置の例の様々な図である。
【図５Ｆ】他の例示的な実施形態に従うポータブルコンピューティング装置の例の様々な図である。
【図５Ｇ】他の例示的な実施形態に従うポータブルコンピューティング装置の例の様々な図である。
【図６】本明細書に記載される回路と共に使用され得るコンピュータ装置およびモバイルコンピュータ装置の例を示す図である。
【発明を実施するための形態】
【０００９】
詳細な説明
本明細書で説明される実施形態では、例示的なコンピューティング装置の表面のうちの１つは、テクスチャー加工されたパターンを含み得る。本明細書で説明されるコンピューティング装置は、ディスプレイを含む表示部と、キーボードを含む基部とを含むことができ、基部は表示部に取り付けられる。ある実施形態では、本明細書で説明されるコンピューティング装置は、タブレット型コンピューティング装置であり得る。ある実施形態では、テクスチャー加工されたパターンは、コンピューティング装置の表示部と基部とを区別するために、基部の外側の底面に配置され得る。これは、ポータブルコンピューティング装置のどの側が上（例えば、上側）であり、どの側が下（例えば、下側）であるかの表示を、表示部を開く必要なしに提供する。加えて、テクスチャー加工されたパターン表面は、閉じられた状況または開かれた状況にあるポータブルコンピューティング装置の強化された把持を提供する。さらに、テクスチャー加工されたパターン表面は、ポータブルコンピューティング装置の構造的完全性を提供する。
【００１０】
本明細書に記載される装置は、例えば、表示部および基部の表面、特に外側表面が滑らか（例えば、平面、平ら、非テクスチャー表面など）である従来の装置よりも利点を有し得る。表示部および基部の表面は、閉じた状態において同じであり、ユーザは、当該ユーザが開いた状態に対して適切な態様でポータブルコンピューティング装置（例えば、上部構成にある表示部）を把持しているかどうか判断できない。
【００１１】
図１Ａは、例示的な実施形態に従うポータブルコンピューティング装置１００の斜視図である。ポータブルコンピューティング装置１００は、ラップトップコンピュータまたはノートブックコンピュータを含み得る。ポータブルコンピューティング装置１００はまた、例えば、携帯電話、メディアプレーヤ、モバイル装置、または他のハンドヘルドもしくはポータブル電子装置のような、タブレットコンピュータまたは他のタイプのコンピューティング装置を含み得る。必要ならば、他の構成がコンピューティング装置１００のために使用され得る。図１Ａの例は、単なる例示にすぎない。
【００１２】
ポータブルコンピューティング装置１００は、表示部１０２を含み得る。表示部１０２は、表示部１０２の（図１Ｂでラベル付けされる）前面１１０上にディスプレイ１０３を含み得る。ディスプレイ１０３は、グラフィック出力をユーザに提示および／または表示し得る。ディスプレイ１０３がタッチスクリーンである例では、ディスプレイ１０３はまた、ユーザがディスプレイ１０３に１つまたは複数の指で接触するときの触覚入力のような入力をユーザから受信し得る。ある実施形態では、ポータブルコンピューティング装置１００は、表示部１０２を含まないタブレットコンピュータであり得る。
【００１３】
ポータブルコンピューティング装置１００は、基部１０４を含み得る。ある実施形態では、基部１０４の表面、特に外面は、さらに詳細に説明されるテクスチャー加工されたパターンを含み得る。基部１０４は、表示部１０２に回転可能に取り付けられてもよく、および／または、表示部１０２は、ヒンジ１１８を介して基部１０４に回転可能に取り付けられ得る。表示部１０２を基部１０４に、および／または、基部１０４を表示部１０２に回転可能に取り付けることは、表示部１０２が、図１Ａおよび図１Ｂに示される開かれた状態から、表示部１０２が基部１０４に接触し得る閉位置へ回転することを可能にし、図１Ｃに示されるように、基部１０４に配置された物理的なキーボード１０８の露出を閉じる。
【００１４】
ある実施形態では、ディスプレイ１０３は、タッチスクリーンインターフェイスを含んでもよく、基部１０４内の物理的キーボード１０８を無効化して、タッチスクリーンインターフェイスを使用してコンピューティング装置１００に入力を提供することが可能であり得る。コンバーチブル装置として知られ得るそのような装置は、基部１０４の平面（例えば、表面）と表示部１０２の平面（例えば、表面）とが互いに対して異なる向きに配列される異なるモードで、操作され得る。例えば、表示部１０２の平面と基部１０４の平面とが互いに平行でない場合、コンピューティング装置１００は、基部１０４の物理的キーボード１０８がユーザ入力を受ける「ラップトップモード」で操作されることができ、表示部１０２の平面と基部１０４の平面とが互いに平行であるとき、または、平行に近いとき、コンピューティング装置１００は、基部１０４の物理的キーボード１０８が人的入力を受けることを不能にされる「タブレットモード」で操作され得る。
【００１５】
いくつかのコンバーチブル装置では、基部１０４および表示部１０２は、ヒンジ１１８によって互いに結合されることができ、表示部１０２は、基部１０４に対してヒンジ１１８を中心に３６０度、または少なくとも３６０度近く回転され得る。そのような場合、コンピューティング装置１００は、表示部１０２が基部１０４に対して回転されるとき、タブレットモードで操作され得る。例えば、コンピューティング装置１００は、閉状態からタブレット状態までの３６０度回転範囲を有し得る。
【００１６】
いくつかのコンバーチブル装置では、基部１０４および表示部１０２は、（例えば、表示部１０２を基部１０４に対してラップトップモードの配向で保持し、かつ、表示部１０２を基部１０４に対してタブレットモードの配向で保持する１つまたは複数の機構によって）互いに取り外し可能に結合され得る。例えば、表示部１０２は、ラップトップモードの配向で基部１０４にスナップフィット結合され、次いで基部１０４から取り外され、再び、ただしタブレットモードの配向で、基部１０４にスナップフィット結合され得る。
【００１７】
基部１０４は、筐体１０７を含み得る。筐体１０７は、プロセッサ、メモリ、バス、および図５に関してより詳細に説明される他の構成要素のような、ポータブルコンピューティング装置１００の構成要素を含み得る。
【００１８】
筐体１０７は、キーボード１０８を開口部１０６内に収容するために、基部１０４の上側に開口部１０６を含み得る。開口部１０６は、キーボード１０８が基部１０４の上面の上および／または下に延び、基部１０４の内側の構成要素と結合することを可能にする。
【００１９】
図１Ｂは、一つの例示的な実施形態に従った、開状態にあるポータブルコンピューティング装置１００の側面図である。図１Ｂに示されるように、表示部１０２は、基部１０４から離れるように、例えば基部１０４から離れるように４５度（４５°）〜３１５度（３１５°）の角度で回転され得る。表示部１０２は、（図１Ｂには示されない）ディスプレイ１０３を含む前面１１０と、前面１１０とは反対側の背面１１２とを含み得る。基部１０４は、（図１Ｂには示されない）キーボード１０８を含む上面１１４と、上面１１４とは反対側の底面１１６とを含み得る。ポータブルコンピューティング装置１００が開状態で使用されるとき、ポータブルコンピューティング装置１００の基部１０４の底面１１６は、テーブルまたは机の表面のような平坦な表面上に置くことができる。
【００２０】
図１Ｃは、例示的な実施形態に従う、閉状態にあるポータブルコンピューティング装置１００の側面図である。図１Ｃに示されるように、ポータブルコンピューティング装置１００が閉状態にあるとき、背面１１２とは反対側の表示部１０２の前面１１０（図１Ｃでは符号が付されていない）は、底面１１６の反対側の、基部１０４の上面１１４（図１Ｃでは符号が付されていない）に面し、および／または、接触する。
【００２１】
図１Ｄは、例示的な実施形態に従うタブレット状態にあるポータブルコンピューティング装置１００’の側面図である。図１Ｄに示されるように、ポータブルコンピューティング装置１００’がタブレット状態にあるとき、前面１１０とは反対側の、表示部１０２の背面１１２（図１Ｄでは符号が付されていない）は、底面１１６の反対側の、基部１０４の上面１１４（図１Ｃでは符号が付されていない）に面し、かつ／または、接触する。ポータブルコンピューティング装置１００’は、表示部１０２および基部１０４を互いに対して回転可能に取り付けるヒンジ１１８を含んでもよく、基部１０４に対する表示部１０２の回転を可能にする。ポータブルコンピューティング装置１００がタブレット状態にあるとき、ユーザは、ディスプレイ１０３に対するタッチおよびジェスチャーよってのように、表示部１０２の前面１１０上のディスプレイ１０３（図１Ｃには示されない）と相互作用し得る。
【００２２】
図１Ｅは、例示的な実施形態に従う、タブレットコンピューティング装置としてのポータブルコンピューティング装置１００’’の側面図である。図１Ｅに示されるように、ポータブルコンピューティング装置１００’’は、筐体部分１０９（例えば、エンクロージャまたはケーシング）を含むが、ディスプレイを含み得る（図１Ａから１Ｄに示されるような）表示部１０２を含まない。代わりに、ポータブルコンピューティング装置１００’’は、筐体１０９内に取り付けられたディスプレイ１１３を含む。ディスプレイ１１３は、コンピューティング装置１００’’に入力を提供するタッチスクリーンインターフェイスであり得る。
【００２３】
図１Ｆは、例示的な実施形態に従うポータブルコンピューティング装置１００の底面図である。図１Ｆに示されるように、基部１０４の底面１１６は、テクスチャー加工されたパターン１２０を含み得る。例示的な実施形態では、テクスチャー加工されたパターン１２０は、規則的に離間され得る複数の溝部（例えば、溝、隆起部、スロット、リブなど）であり得る。換言すれば、テクスチャー加工されたパターン１２０は、交互の隆起部および溝（例えば、山と谷）を有する波形であり得る。別の方法を説明すると、テクスチャー加工されたパターン１２０は、（図１Ｇおよび図１Ｉに示される）交互の凹状隆起部１４２および凸状溝部１４４を含み得る。ある実施形態では、凹状隆起部１４２および凸状溝部１４４は、連続的に滑らかであり得る（たとえば、丸みを帯びている）。すなわち、凹状隆起部１４２および凸状溝部１４４の１組は、Ｓ字型形状を形成し得る。
【００２４】
ある実施形態では、基部１０４の底面１１６は、他のテクスチャー加工されたパターンを有し得る。様々な実施形態では、図５Ａ〜５Ｇに示されるように、テクスチャー加工されたパターン１２０は、他の形状および／またはサイズを有し得る。例えば、図５Ａは、２行のテクスチャー加工されたパターンを有するテクスチャー加工されたパターンを示す。例えば、テクスチャー加工されたパターン５１２の第２の行は、テクスチャー加工されたパターン５１１の第１の行の背後にあり得る。別の例では、図５Ｂ〜５Ｅは、異なる表面を有するテクスチャー加工されたパターンを示す。例えば、図５Ｂに示されるように、当該表面は、概して三角形形状の凹状隆起部および凸状溝部であり得る。別の例では、図５Ｃに示されるように、当該表面は、概して正方形形状の凹状隆起部および凸状溝部であり得る。別の例では、図５Ｄに示されるように、当該表面は、概して正方形形状の凹状隆起部および凸溝部であってもよく、凹状隆起部５１４のうちの少なくとも１つは、他の凹状隆起部５１６よりも長くてもよい（例えば、さらに延びている）。別の例では、図５Ｅに示されるように、当該表面は、概して正方形形状の凹状隆起部および凸状溝部であり得、凸状溝部５２０のうちの少なくとも１つは、凹状隆起部５１８の幅よりも長い幅を有し得る。図５Ｂ〜５Ｅは、角度（すなわち直角）を有するテクスチャー加工されたパターンを示し得るが、当該表面および／または縁部のうちの１つまたは複数は、湾曲した表面を含み得る。別の例では、図５Ｆおよび図５Ｇは、テクスチャー加工されたパターンの表面が波形にされ得ることを示す。例えば、図５Ｆに示されるように、凹状隆起部および凸状溝部のそれぞれは、複数の表面５２２によって形成され得る。別の例では、図５Ｇに示されるように、凹状隆起部および凸状溝部の表面は、非線形５２４（例えば、曲線状、波状など）であり得る。上記で説明される例は、パターンおよび形状の単に一般的な表現であり、本明細書で説明されるものに限定されない。
【００２５】
ある実施形態では、テクスチャー加工されたパターン１２０は、基部１０４の底面１１６における（図４Ｃに示されるように）円のパターンであり得る。ある実施形態では、円のパターンは、底面１１６の内側（たとえば、凹状隆起部）に向かって延び得る。ある実施形態では、円のパターンは、底面１１６の外側（たとえば、凸状隆起部）に向かって延び得る。ある実施形態では、テクスチャー加工されたパターン１２０は、たとえば、正方形、楕円形、五角形、六角形、七角形、八角形、他の多角形のような、他の形状であり得る。
【００２６】
例示的な実施形態によれば、テクスチャー加工されたパターン１２０は、表示部１０２を開く必要なしに、ポータブルコンピューティング装置のどの側が上（例えば、上側）であり、どの側が下（例えば、下側）であるかを示すことができる。換言すれば、ユーザは、テクスチャー加工されたパターン１２０を有する表面がコンピューティング装置１００の底面を示すと判断でき、コンピューティング装置１００の向きを変更する（例えば、反転する）必要なしに、表示部１０２を開くことができる。コンピューティング装置１００の適切な向きを決定することに加えて、テクスチャー加工されたパターン１２０は、閉位置または開位置におけるポータブルコンピューティング装置１００の強化された把持を提供できる。例えば、ポータブルコンピューティング装置１００を運ぶ間に、テクスチャー加工されたパターン１２０は、当該装置を運ぶ際に容易にするための把持面を提供し得る。別の例では、（例えば、ユーザの膝の上にある）ポータブルコンピューティング装置１００を動作させている間、テクスチャー加工された表面１２０は、ポータブルコンピューティング装置１００がユーザの膝から落ちることを防止および／または低減し得る。このことは、ポータブルコンピューティング装置１００の底面１１６上のテクスチャー加工されたパターン１２０によって引き起こされる摩擦効果によるものであり得る。テクスチャー加工されたパターン１２０はまた、ポータブルコンピューティング装置１００の構造的完全性を提供し得る。例えば、テクスチャー加工されたパターン１２０は、基部１０４の内側の構成要素を、落下、衝撃、振動、および／または圧縮荷重による損傷から保護できる。
【００２７】
図１Ｆに示されるように、テクスチャー加工されたパターン１２０は、基部１０４の第１の端部１１１から第２の端部１１３まで、またはそれらの間に延びることができる。本明細書で説明される例では、図１Ｆを見ると、第１の端部１１１は、基部１０４の底面１１６の左端部であり得、第２の端部１１３は、基部１０４の底面１１６の右端部であり得る。換言すれば、テクスチャー加工されたパターン１２０は、長手線Ａ１−Ａ１に沿った方向に延び得る。したがって、基部１０４の第１の端部１１１に沿って第２の端部１１３に延びる長手線１−Ａ１が規定され得る。ある実施形態では、テクスチャー加工されたパターン１２０は、代替的に、上端部１１５から下端部１１７まで延び得る。換言すれば、テクスチャー加工されたパターン１２０は、長手線Ａ１−Ａ１に対して直角（例えば、横断方向）に延び得る。ある実施形態では、テクスチャー加工されたパターン１２０は、長手線Ａ１−Ａ１に対して角度を付けないで延在し得る。例えば、テクスチャー加工されたパターン１２０は、長手線Ａ１−Ａ１に対して４５°で延在し得る。
【００２８】
ある実施形態では、テクスチャー加工されたパターン１２０は、図１Ｆに示されるように、長手線Ａ１−Ａ１と同じ方向に沿って延びる底面１１６の実質的に全面に配置され得る。すなわち、テクスチャー加工されたパターン１２０は、底面１１６の表面全体を実質的に覆うまで、繰り返しのパターンを有する。ある実施形態では、テクスチャー加工されたパターン１２０は、長手線Ａ１−Ａ１と同じ方向に沿って延びる底面１１６の一部分の上にのみ配置され得る。例えば、テクスチャー加工されたパターン１２０は、底面１１６の中央部分まで配置され得る。したがって、テクスチャー加工されたパターン１２０は、底面１１６の半分の部分にのみ配置されることができ、非テクスチャー加工されたパターン（例えば、滑らかな表面）は、底面１１６の他方の半分の部分上に配置され得る。ある実施形態では、テクスチャー加工されたパターン１２０は、代替的に、長手線Ａ１−Ａ１の直交（たとえば、横方向）方向に延びる底面１１６の中間部分まで配置され得る。ある実施形態では、テクスチャー加工されたパターン１２０は、長手線Ａ１−Ａ１に対してオフ角（たとえば、４５度）方向に延びる底面１１６の中間部分までのみ配置され得る。
【００２９】
ある実施形態では、テクスチャー加工されたパターン１２０は、基部１０４の別の表面に配置され得る。例えば、テクスチャー加工されたパターン１２０は、底面１１６の反対側の、基部１０４の上面に配置され得る。ある実施形態では、テクスチャー加工されたパターン１２０は、基部１０４の両面に（たとえば、上面および下面に）配置され得る。
【００３０】
ある実施形態では、テクスチャー加工されたパターン１２０は、表示部１０２の表面上に配置され得る。例えば、テクスチャー加工されたパターン１２０は、表示部１０２の外側上面に配置され得る。ある実施形態では、テクスチャー加工されたパターン１２０は、表示部１０２および基部１０４の両面に配置され得る。
【００３１】
基部１０４は、その底面１１６上に足パッド部材１３０をさらに含み得る。足パッド部材１３０は、（図１Ｆに示されるように）少なくとも１つの締結具１２５を覆うように構成され得る。足パッド部材１３０に対する締結具１２５の一層の詳細は、本開示において後述される。
【００３２】
図１Ｆに示されるように、足パッド部材１３０は、基部１０４の上端部１１５および／または下端部１１７に配置され得る。ある実施形態では、足パッド部材１３０は、基部１０４の第１の端部１１１から第２の端部１１３まで延在することができる。換言すれば、足パッド部材１３０は、長手線Ａ１−Ａ１に対して同じ方向（例えば、テクスチャー加工されたパターン１２０に平行）に延び得る。ある実施形態では、足パッド部材１３０は、長手線１−Ａ１に沿って延びるいくつかの部品で構成され得る。すなわち、足パッド部材１３０は、連続する１つの部材の代わりに、いくつかの部材で構成され得る。ある実施形態では、足パッド部材１３０は、基部１０４の底面１１６の角にのみ配置され得る。例えば、足パッド部材１３０は、基部１０４の四隅の各々に配置され得る。一つの例示的な実装では、足パッド部材１３０は、円形の形状であり得る。正方形、長方形、楕円形、多角形等の他の形状が、足パッド部材１３０の形状として採用されもよい。
【００３３】
図１Ｇは、例示的な実施形態に従う、図１Ｆの基部１０４の一部分の断面図である。図１Ｇに示されるように、足パッド部材１３０は、テクスチャー加工されたパターン１２０の凹状隆起部１４２のうちの少なくとも１つに結合および／または取り付けられ得る。例えば、足パッド部材１３０は、基部１０４の上端部１１５および／または下端部１１７にある１つの凹状隆起部１４２に連結され得る。ある実施形態では、足パッド部材１３０は、基部１０４の上端部１１５および／または下端部１１７におけるものに加えて、凹状隆起部１４２に結合され得る。例えば、足パッド部材１３０は、基部１０４のテクスチャー加工されたパターン１２０の中間部分の上またはその近くの凹状隆起部１４２のうちの１つに結合され得る。
【００３４】
足パッド部材１３０は凹状隆起部１４２に結合され得るため、足パッド部材１３０は、足パッド部材１３０を含まない凹状隆起部１４２よりも表面１２８（例えば、頂面）から離れて延びる。より具体的には、図１Ｇに示される部分Ａに関連する領域の拡大図である図１Ｈを参照して、基部１０４の表面１２８から足パッド部材１３０の底面までの距離（例えば深さ）はＨ１を表し、基部１０４の表面１２８から１つの凹状隆起部１４２の底面までの距離（例えば深さ）はＨ２を表す。この例示的な実施形態では、Ｈ１はＨ２より大きい。したがって、足パッド部材１３０は、凹状隆起部１４２よりも表面１２８から離れて延びる。言い換えれば、足パッド部材１３０の深さは、凹状隆起部１４２の深さよりも大きくすることができる。このことは、足パッド部材１３０が、凹状隆起部１４２のうちの１つよりもむしろ、例えば、机またはテーブルのような、平坦面の表面に接触することを可能にする。
【００３５】
図１Ｉは、別の例示的な実施形態に従う基部１０４の一部の断面図である。図１Ｉに示されるように、足パッド部材１３０は、基部１０４の凹部１３５（例えば、開口、溝部、スロットなど）内に配置され得る。凹部１３５は、足パッド部材１３０を受入れるように構成され得る。すなわち、凹部１３５は、足パッド部材１３０の形状に類似した形状を有し得る。例えば、凹部１３５は、（図４Ｂに示されるように）実質的に長方形の形状を有し得る。再び図１Ｉを参照すると、凹部１３５は、断面図に示されるように、凹状隆起部１４２および凸状溝部１４４を含むテクスチャー加工されたパターン１２０とは異なる形状であり得る。
【００３６】
図１Ｉに示されるように、凹部１３５の内側に配置された足パッド部材１３０は、凹状隆起部１４２のうちの１つよりも表面１２８からさらに離れて延びることができる。より具体的には、図１Ｉに示される部分Ｂに関連付けられる領域の拡大図である図１Ｊを参照して、凹部１３５の表面から足パッド部材１３０の底面までの距離（例えば深さ）をＪ１とし、凹部１３５の表面から１つの凹状隆起部１４２の底面までの距離（例えば深さ）をＪ２とする。この例示的な実施形態では、Ｊ１はＪ２より大きい。１つの例示的な実施形態では、Ｊ１は約１.３０mmの距離を有し得、Ｊ２は約０.７mmの距離を有し得る。したがって、足パッド部材１３０は、凹状隆起部１４２よりも凹部１３５の表面から離れて延びる。すなわち、足パッド部材１３０の深さは、凹状隆起部１４２の深さよりも大きくなり得る。また、これにより、足パッド部材１３０は、凹状隆起部１４２のうちの１つではなく、例えば、デスクまたはテーブルのような平坦面の表面と接触することができる。
【００３７】
ある実施形態では、凹状隆起部１４２の各々の高さ（例えば、基部の表面１２８から各凹状隆起部１４２の底面までの距離）は、同じであり得る。ある実施形態では、凹状隆起部１４２のうちのいくつかの高さは変わり得る。例えば、１つの凹状隆起部１４２は、第１の高さを有することができ、隣接する凹状隆起部１４２は、当該第１の高さとは異なる第２の高さを有し得る。この構成は、パターンが形成されるまで継続し得る。
【００３８】
ある実施形態では、足パッド部材１３０は、接着剤（例えば、接着剤、糊、テープ、エポキシ樹脂など）によって（図１Ｇに示されるように）基部１０４の凹状隆起部１４２または（図１Ｉに示されるように）凹部１３５に取り付けられ、および／または結合され得る。
【００３９】
ある実施形態では、足パッド部材１３０は、ゴム材料から作製され得る。ゴム材料は、摩擦抵抗を提供し、滑り止め表面を生成するのに役立つ。さらに、ゴム材料は、構造的完全性を提供し、ポータブルコンピューティング装置１００の内部の構成要素を、衝撃の間または当該装置が落下したときに、保護する。ある実施形態では、プラスチックのような他の材料は、足パッド部材１３０を形成するために使用され得る。ある実施形態では、足パッド部材１３０は、基部１０４と同じ材料を有し得る。ある実施形態では、足パッド部材１３０は、基部１０４とは異なる材料を有し得る。
【００４０】
図２Ａ〜２Ｈは、例示的な実施形態に従うコンピューティング装置１００を示す。図２Ａ〜２Ｈに示されるコンピューティング装置１００は、図１Ａ〜１Ｃに示されるコンピューティング装置１００の変形である。同様の要素は同様の参照番号を使用する。図２Ａは、閉状態にあるコンピューティング装置１００の斜視図である。図２Ｂは、開状態にあるコンピューティング装置１００の斜視図である。図２Ｃは、図２Ａのコンピューティング装置１００の上面図である。図２Ｄは、図２Ａのコンピューティング装置１００の底面図である。図２Ｅは、図２Ａのコンピューティング装置１００の右側から見た側面図である。図２Ｆは、図２Ａのコンピューティング装置１００の左側から見た側面図である。図２Ｇは、図２Ａのコンピューティング装置１００の正面側から見た側面図である。図２Ｈは、図２Ａのコンピューティング装置１００の背面側から見た側面図である。
【００４１】
図２Ａを参照すると、コンピューティング装置１００は、例示的な実施形態に従う基部１０４に対して閉位置にある表示部１０２を含む。表示部１０２は、（図２Ｂに示される）ディスプレイ１０３を含み得る。ある実施形態では、コンピューティング装置１００は、２つの長辺（例えば、前面１０１ａおよび背面１０１ｂ）および２つの短辺（例えば、右側１０５ａおよび左側１０５ｂ）を有する概して長方形の形状であり得る。コンピューティング装置１００は、例えば正方形のような他の形状であり得る。さらに、少なくとも図２Ａに示されるように、コンピューティング装置１００の角部１１９は、鋭い縁部の角と比較して、衝撃による損傷からコンピューティング装置１００を保護するように湾曲され得る（例えば、丸みを帯びている、滑らかである）。さらに、湾曲した角部１１９はまた、同じ接合部または縁部で側壁を接合する平坦な表面と比較して、内部容積を増大させ得る。さらに、湾曲した角部１１９は、コンピューティング装置１００に美的に快適な外観および／または感触を提供することができる。ある実施形態では、コンピューティング装置１００の角部１１９は、面取りまたは面取りされた縁部を有し得る。
【００４２】
図２Ｂを参照すると、表示部１０２は、例示的な実施形態に従う基部１０４に対して開状態にある。表示部１０２は、ヒンジ１１８を介して基部１０４に回転可能に取り付けられ得る。ヒンジ１１８は、図２Ｈに示されるように、コンピューティング装置１００の背面１０１ｂに配置され得る。表示部１０２を基部１０４に、および／または、基部１０４を表示部１０２に回転可能に取り付けることにより、表示部１０２は、表示部１０２が基部１０４と接触していない開位置に、および／または、例えば、基部１０４から４５度（４５°）と３１５度（３１５°）との間離れているような、表示部１０２が基部１０４から離れる角度で回転する開位置に、回転することができる。加えて、表示部１０２の開位置は、基部１０４に設けられたキーボード１０８を露出できる。ある実施形態では、基部１０４は、少なくとも１つのタッチ感応式の入力装置１３１（たとえば、タッチパッド）を含み得る。入力装置１３１は、ユーザの指が入力装置１３１の表面を横切って移動するときに入力装置１３１の表面上で当該ユーザの指の位置（例えば、（ｘ，ｙ）座標）を検出することによって、入力装置１３１の表面上でユーザの指の動きを追跡するために使用され得る。コンピューティング装置１００は、ユーザの指の検出された位置をジェスチャ（例えば、ポインタの移動、スクロールなど）に変換するジェスチャ認識ソフトウェアを実装できる。
【００４３】
図２Ｂに示されるように、表示部１０２は、ディスプレイ１０３を含み得る。ディスプレイ１０３は、その中にピクセルのアレイ（図示しない）が形成されるアクティブな領域１２１ａ（例えば、表示領域）と、非表示領域１２１ｂとを含み得る。本明細書に示される例示的な実施形態に示されるように、ディスプレイ１０３は矩形の形状であり得る。他の形状が採用されてもよく、本明細書に記載される例示的な実施形態に限定されない。非表示領域１２１ｂは、表示領域１２１ａの両端の周辺に設けられ得る。すなわち、非表示領域１２１ｂは、表示領域１２１ａを囲み得る。ある実施形態では、表示領域１２１ａの角部１２３は、コンピューティング装置１００の表示部１０２の角部１１９と一致する輪郭を提供するように湾曲され得る（例えば、丸みを帯びている、円形である、弧状である）。ある実施形態では、表示領域１２１ａの角部１２３は、面取りまたは面取りされた形状を有し得る。表示領域１２１ａの湾曲した角部１２３は、表示部１０２および／またはコンピューティング装置１００全体に対して、美的に快適な外観を提供できる。
【００４４】
ある実施形態では、基部１０４は、当該基部１０４の内側に少なくとも１つのスピーカ（図示しない）を収容する筐体１０７（例えば、エンクロージャ、ケーシング等）を含み得る。スピーカは、基部１０４の少なくとも片側に配置され得る。ある実施形態では、スピーカは、基部１０４の両側の短辺に配置され得る。図２Ｂに示されるように、筐体１０７は、その表面にスピーカ開口部１３３（例えば、穴、切欠き、グリル等）をさらに含み得る。スピーカ開口部１３３は、基部１０４の内部に配置されたスピーカの位置に対応し、筐体１０７の内部に配置されたスピーカから屋外へ音を伝えることができる。ある実施形態では、スピーカ開口部１３３は、換気目的のために設けられ得る。ある実施形態では、スピーカ開口部１３３は、筐体１０７の内側の内部構成要素へのアクセスを提供するために設けられ得る。ある実施形態では、スピーカ開口部１３３は、筐体１０７の少なくとも１つの短辺に配置され得る。例えば、図２Ｂに示されるように、スピーカ開口部１３３は、筐体１０７の短辺の両側に配置され得る。ある実施形態では、スピーカ開口部１３３は、概して長方形の形状を有し得る。ある実施形態では、図２Ｂに示されるように、スピーカ開口部１３３は、「ピル」カプセル（例えば、丸みを帯びた端部を有する略矩形形状）の形状を有し得る。なお、上記以外の形状が、スピーカ開口部１３３のために採用され得る。
【００４５】
ある実施形態では、基部１０４は、基部１０４の側壁に溝１２２を含み得る。例えば、図２Ｂに示されるように、溝１２２は、基部１０４の前面１０１ａ（図２Ａ参照）の側壁に設けられ得る。溝１２２は、表示部１０２の開放を補助するための手段として用いられ得る。例えば、ユーザは、溝１２２に１本の指を入れて、表示部１０２を上方に持ち上げて表示部１０２を開くことができる。
【００４６】
基部１０４および／または表示部１０２は、金属材料から形成され得る。例えば、金属材料はマグネシウムであり得る。例えばアルミニウムのような他の金属材料が用いられてもよい。ある実施形態では、基部１０４および／または表示部１０２は、基部１０４および表示部１０２内に配置されたサブシステムおよび構成要素を保護するために、プラスチック材料、または様々な複合ポリマーのような何らかの他の凹凸材料から形成され得る。ある実施形態では、基部１０４および表示部１０２の両方は、同じ材料から形成され得る。ある実施形態では、基部１０４および表示部１０２は、異なる材料から形成され得る。
【００４７】
図２Ｄを参照すると、基部１０４の底面１１６は、例示的な実施形態に従うテクスチャー加工されたパターン１２０を含み得る。ある実施形態では、テクスチャー加工されたパターン１２０は、交互の凹状隆起部および凸状溝部を含み得る。上記で詳細に論じたように、基部１０４の底面１１６上の交互の凹状隆起部および凸状溝部は、少なくとも、当該コンピューティング装置の向きを決定すること、把持を向上させること、および／または、構造的完全性をもたらすことをユーザに提供する。図２Ｄに示されるように、テクスチャー加工されたパターン１２０は、基部１０４の第１の端部１１１から第２の端部１１３まで、長手線Ａ１−Ａ１に沿った方向に延び得る。ある実施形態では、テクスチャー加工されたパターン１２０は、底面１１６の実質的に全面上に配置され得る。
【００４８】
基部１０４は、その底面１１６に足パッド部材１３０をさらに含み得る。ある実施形態では、図２Ｄに示されるように、足パッド部材１３０は、基部１０４の上端部１１５および／または下端部１１７に配置され得る。ある実施形態では、足パッド部材１３０は、長手線Ａ１−Ａ１に関して同じ方向（例えば、テクスチャー加工されたパターン１２０に平行）に延び得る。
【００４９】
図２Ａのコンピューティング装置１００の右側１０５ａから見た側面図である図２Ｅを参照すると、コンピューティング装置１００は、例えば電源コードのような外部装置に接続するように構成されたポート１４１を含み得る。ある実施形態では、ポート１４１は、他の様々なＩ／Ｏインターフェイス装置にアクセスするように構成され得る。ポート１４１の種類は、例えばＵＳＢ（Universal  Serial  Bus）ポートである。ある実施形態では、ポート１４１は、ＨＤＭＩ（登録商標）ポート、イーサネット（登録商標）ポート、ディスプレイポート、ＤＶＩ（Digital  Visual  Interface）ポート、マイクロＳＤカードスロット等を含み得る。必要に応じて、他のポート構成が使用され得る。図２Ｅの例は、例示にすぎない。ある実施形態では、ポート１４１は、コンピューティング装置１００の基部１０４の一部分に配置され得る。
【００５０】
図２Ａのコンピューティング装置１００の左側１０５ｂから見た側面図である図２Ｆを参照すると、コンピューティング装置１００は、図２Ｅのポート１４１と同様のポート１４２と、ヘッドフォンジャック１４３とを含み得る。ある実施形態では、ポート１４２および／またはヘッドフォンジャック１４３は、ＵＳＢポート、ＨＤＭＩポート、イーサネットポート、ディスプレイポート、ＤＶＩ（Digital  Visual  Interface）ポート、マイクロＳＤカードスロット等を含み得る。他のポート構成が、必要に応じて使用され得る。図２Ｆの例は、単なる例示である。ある実施形態では、ポート１４２およびヘッドフォンジャック１４３は、コンピューティング装置１００の基部１０４の一部分に配置され得る。
【００５１】
図２Ａのコンピューティング装置１００の前面１０１ａから見た側面図である図２Ｇを参照すると、コンピューティング装置１００は、ユーザが表示部１０２を開くのを補助するために、基部１０４に溝１２２を含み得る。ある実施形態では、溝１２２は、概して長方形である形状を含み得る。他の形状が溝１２２を形成するために使用され得る。
【００５２】
図２Ａのコンピューティング装置１００の背面１０１ｂから見た側面図である図２Ｈを参照すると、コンピューティング装置１００は、表示部１０２を回転可能に開くためのヒンジ１１８を含み得る。すなわち、基部１０４は、表示部１０２に回転可能に取り付けられてもよく、および／または、表示部１０２は、ヒンジ１１８を介して基部１０４に回転可能に取り付けられ得る。
【００５３】
図３Ａは、例示的な実施形態に従う、図２Ｆのコンピューティング装置１００の一部分（例えば、最左端部分）の概略図である。図３Ａは、基部１０４が下側にあり、表示部１０２が上側にある、適切な動作構成にあるコンピューティング装置１００を示す。図３Ａに示されるように、コンピューティング装置１００は、少なくとも（図２Ｂに示される）ディスプレイ１０３およびディスプレイ構成要素を収容する筐体を有する表示部１０２と、コンピューティング装置１００のためのコンピューティング動作を提供するために（集積回路チップおよび他の回路を含む）内部の様々な構成要素を収容して支持するための筐体１０７を有する基部１０４とを含み得る。ある実施形態では、集積回路チップおよび他の回路は、少なくとも、マイクロプロセッサ、メモリ、バッテリ、回路基板、Ｉ／Ｏ、様々な入力／出力（Ｉ／Ｏ）サポート回路などを含み得る。この図には示されていないが、筐体１０７は、その内部に構成要素が位置決めされ得るキャビティを規定し、筐体１０７はまた、筐体１０７内、または筐体１０７の表面を通る開口部内に、任意の好適な数の機構を物理的に支持し得る。
【００５４】
基部１０４は、第１カバー部１３６および第２カバー部１３８を含み得る。第１カバー部１３６は、コンピューティング装置１０２を保護するために構成された筐体１０７の構造上の構成要素として規定され得る。第１カバー部１３６は、Ｃカバーと称され得る。第１カバー部１３６は、コンピューティング装置１００の基部１０４内に配置されたサブシステムおよび構成要素を保護するように構成されたケーシングまたはエンクロージャ（例えば、上部シェル筐体）を含み得る。第２カバー部１３８は、コンピューティング装置１００を保護するための基部１０４の構造上の構成要素である。保護を提供することに加えて、第２カバー部１３８は、把持可能性（例えば、滑り防止面）をさらに向上させ、および／または、構造的完全性を提供できる。第２カバー部１３８は、Ｄカバーと称され得る。第２カバー部１３８は、コンピューティング装置１００内に配置されたサブシステムおよび構成要素を保護するために、基部１０４のケーシングまたはエンクロージャ（例えば、下側シェル筐体）を含み得る。ある実施形態では、第１および第２カバー部１３６，１３８は、たとえばマグネシウムのような金属材料で形成され得る。他の金属材料が用いられ得る。ある実施形態では、他の非金属材料または様々な複合ポリマーなどの何らかの他の材料が、コンピューティング装置１００の基部１０４内に配置されたサブシステムおよび構成要素を保護するために、使用され得る。ある実施形態では、第１および第２カバー部１３６，１３８は、異なる材料で形成され得る。
【００５５】
第１カバー部１３６は、第１の面１３７ａと、第１の面１３７ａの反対側の第２の面１３７ｂとを含み得る。第１の面１３７ａは、上面として規定され得る。コンピューティング装置１００が閉状態にあるとき、第１の面１３７ａは、表示部１０２の表面に接触し得る。第２の面１３７ｂは、底面として規定され得る。第２の面１３７ｂは、第２カバー部１３８に結合され得る。より具体的には、第１カバー部１３６の第２の面１３７ｂは、第２カバー部１３８の第１の面１３９ａ（例えば、頂面）に結合され得る。ある実施形態では、第１カバー部１３６の第２の面１３７ｂは、締結デバイス（例えば、ねじ、ボルト、リベット、アンカー、接着剤、糊、テープ等）によって第２カバー部１３８の上面１３９に結合され得る。
【００５６】
第２カバー部１３８は、第２の面１３９ｂ（または１１６）をさらに含み得る。第２の面１３９ｂは、底面として定義され得る。前に詳細に論じたように、第２の面１３９ｂは、図３Ａに示されるように、交互の凸状隆起部１４２および凹状隆起部１４４を含むテクスチャー加工されたパターンを含み得る。交互の凸状隆起部１４２および凹状隆起部１４４は、第２の面１３９ｂの実質的な部分を実質的に覆うまで繰り返される。
【００５７】
第２の面１３９ｂは、テクスチャー加工されたパターン１２０の凹状隆起部１４２のうちの少なくとも１つに結合され、かつ／または、取り付けられた足パッド部材１３０をさらに含み得る。例えば、図３Ａに示されるように、足パッド部材１３０は、最も左の凹状隆起部１４２にある凹状隆起部１４２に結合され得る。ある実施形態では、足パッド部材１３０は、最も左側の凹状隆起部１４２に加えて他の凹状隆起部１４２に結合され得る。例えば、足パッド部材１３０は、最も右側の凹状隆起部１４２（図示しない）または（例えば、テクスチャー加工されたパターン１２０の中央部分またはその近くにある）他の凹状隆起部で凹状隆起部１４２に結合され得る。足パッド部材１３０は、凹状隆起部１４２のうちの少なくとも１つに結合されているため、足パッド部材１３０は、第２カバー部１３８の第１の面１３９ａ（例えば、頂面）からさらに離れて延び得る。結果として、足パッド部材１３０は、凹状隆起部１４２ではなく、平坦面（例えば、机やテーブル）の表面に接触でき、第２カバー部１３８の第２の面１３９ｂを保護できる。
【００５８】
第１カバー部１３６は、側壁を含み得る。第１カバー部１３６の側壁は、曲がった側面１５３を形成するように湾曲し得る（例えば、丸みを帯びている、または滑らかである）。第２カバー部１３８は、側壁を含み得る。同様に、第２カバー部１３８の側壁は、側壁が曲がった側面１５５を形成するように湾曲し得る（例えば、丸みを帯びている、または滑らかである）。湾曲した側面１５３および１５５は連続的であり、単一の側壁を作り出し得る。言い換えれば、湾曲した側面１５３および１５５は、互いに対して同一平面上になり得る。別の言い方をすれば、湾曲した側面１５３および１５５は、基部１０４の形状が一体のユニットとして見えるように、同じ曲率半径を有し得る。ある実施形態では、基部１０４の湾曲した側面１５３および１５５は、表示部１０２の湾曲した側面と連続的であり得る。これは、コンピューティング装置１００の全体的な形状および形態を規定するのに役立ち、または、湾曲した側面の輪郭が、コンピューティング装置１００の外側の物理的外観を具現化し得る。例えば、コンピューティング装置１００の湾曲した側面の輪郭は、概してカプセルピルの形状を提供し得る。他の適切な形状が使用され得る。ある実施形態では、筐体１０７のサイズおよび形状は、コンピューティング装置１００を快適に操作するために寸法設定され得る。
【００５９】
さらに、第１および第２カバー部１３６および１３８の湾曲した側壁の輪郭により、第１カバー部１３６の長さは、第２カバー部１３８の長さとは異なる。例えば、図３Ｂに示されるように、第１カバー部１３６は、長さＢ２を有し、第２カバー部１３８は、長さＢ１を有する。この例示的な実施形態では、Ｂ２はＢ１より大きい。
【００６０】
ある実施形態では、図３Ｂは、コンピューティング装置１００の片側だけを例示するが、Ｂ１およびＢ２の長さは、コンピューティング装置１００の４つの側面全てにおいて実装され得る。換言すれば、長さＢ２は、長さＢ１と比較すると、２つの長辺（例えば、前面１０１ａおよび背面１０１ｂ）および２つの短辺（例えば、右側１０５ａおよび左側１０５ｂ）においてより大きくなり得る。
【００６１】
図３Ｂおよび図３Ｃは、別の例示的な実施形態に従うコンピューティング装置１００の一部分の概略図である。図３Ｂおよび図３Ｃの基部１０４は、足パッド部材１３０が複数の凹状隆起部１４４の内の１つの上にある代わりに凹部１３５内に配置され得ることを除き、図３Ａの基部１０４と同様である。
【００６２】
図３Ｂを参照すると、凹部１３５（例えば、開口部、溝、スロットなど）は、足パッド部材１３０を受容するように構成され得る。ある実施形態では、凹部１３５は、足パッド部材１３０の形状に類似した形状を有し得る。例えば、図３Ｃに示されるように、凹部１３５は、足パッド部材１３０の上端部１５１の形状に合致し得る、実質的に矩形の形状を有し得る。足パッド部材１３０と凹部１３５との両方の形状は、足パッド部材１３０が凹部１３５内にしっかりとフィットするように、同様に類似しているべきである。別の図において、図４Ｂは、足パッド部材１３０の形状に対応する特定の形状を有する凹部１３５を例示する。この例示的な実施形態では、凹部１３５はカプセルピルの形状（例えば、丸みを帯びた端部を有する略矩形の形状）を有し得る。前述の形状以外の、例えば、長方形、正方形、円形等ような形状が用いられ得る。
【００６３】
さらに、凹部１３５は、足パッド部材１３０と同じサイズを有し得る。例えば、図３Ｃおよび図４Ｂに示されるように、凹部１３５は長さＦ１を有することができ、足パッド部材１３０は長さＦ２を有し得る。この例示的な実施形態では、長さＦ１およびＦ２は実質的に同じであり得る。ある実施形態では、足パッド部材１３０および凹部１３５は、異なるサイズを有し得る。例えば、凹部１３５の長さＦ１は、足パッド部材１３０の長さＦ２より大きくてもよい。
【００６４】
凹部１３５は、締結具１２５（例えば、ねじ）を受容するための締結穴１４５をさらに含み得る。すなわち、締結穴１４５は、凹部１３５の内部（例えば、内部）に形成され得る。締結具１２５は、第２カバー部１３８を第１カバー部１３６に締結し得る。ある実施形態では、締結穴１４５は、図４Ｂに示されるように、凹部１３５の端部の近くに配置され得る。ある実施形態では、締結穴１４５は、凹部１３５の両端部に配置され得る。ある実施形態では、締結穴１４５は、たとえば、凹部１３５の中間部分のように、凹部１３５内の他の位置に配置され得る。ある実施形態では、凹部１３５内に配置された２つ以上の締結穴１４５が存在し得る。例示的な実施形態では、対応する８つの締結具１２５を受容するための合計８つの締結穴１４５が、凹部１３５内に配置され得る。４つの締結穴１４５が、各凹部１３５（例えば、前面１０１ａの近傍に形成された一方の凹部と、背面１０１ｂの近傍に形成された他方の凹部１３５）に対して存在し得る。他の数の締結穴１４５が凹部１３５内に配置され得る。
【００６５】
締結穴１４５が凹部１３５内に配置されているため、足パッド部材１３０が凹部１３５内に配置されている場合、足パッド部材１３０は締結具１２５を覆い、締結具１２５を見えないように隠す。これは、コンピューティング装置１００に対する美観的外観を生成する。また、締結具１２５が足パッド部材１３０に覆われているため、締結具１２５の緩みや紛失が抑制される。さらに、覆われた足パッド部材１３０は、締結具１２５によって作られる任意の鋭い縁部への曝露を防止および／または低減し得る。
【００６６】
凹部１３５が第２カバー部１３８に形成されることに加えて、第２カバー部１３８は、その底面１３９ｂにテクスチャー加工されたパターン１２０（例えば、交互に配置された凹状隆起部１４２および凸状溝部１４４）を含み得る。交互の凹状隆起部１４２および凸状溝部１４４は、図４Ａに示されるように、長手線Ａ１−Ａ１に沿って延びる底面１３９ｂのほぼ全体にわたって配置され得る。ある実施形態では、交互の凹状隆起部１４２および凸状溝部１４４は、２つの凹部１３５の間に配置され得る。例えば、一方の凹部１３５は、コンピューティング装置１００の前面１０１ａの近くに形成されることができ、他方の凹部１３５は、背面１０１ｂの近くに形成され得る。同様に、足パッド部材１３０は、コンピューティング装置１００の前面１０１ａおよび背面１０１ｂの近傍に配置される。
【００６７】
ある実施形態では、図４Ａを参照すると、長手線Ａ１−Ａ１に沿った方向に延びる凹状隆起部１４２および凸状溝部１４４のうちのいくつかの長さは、他の凹状隆起部１４２および凸状溝部１４４の長さとは異なり得る。例えば、コンピューティング装置１００の前面１０１ａ（例えば、足パッド部材１３０が配置される領域）の近くの凹状隆起部１４２および凸状溝部１４４は、第１の長さＤ１を有することができ、前面１０１a（例えば、足パッド部材１３０が配置されていない領域）から離れた凹状隆起部１４２および凸状溝部１４４は、第２の長さＤ２を有し得る。この例示的な実施形態では、長さＤ１は、長さＤ２より小さくてもよい。このことは、湾曲した側壁を設計し形成するのに役立つ。凹状隆起部１４２および凸状溝部１４４の長さＤ１およびＤ２を比較すると、足パッド部材１３０（および凹部１３５）の長さＧ１は、長さＤ１およびＤ２よりも小さくなり得る。このことは、足パッド部材１３０がコンピューティング装置１００の縁部（または側壁）を超えて延びないことを保証する。
【００６８】
ある実施形態では、２つの連続する凹状隆起部１４２間の距離は、テクスチャー加工されたパターン全体にわたって一貫しているか、または同じであり得る。言い換えれば、距離は、連続する凹状隆起部１４２のピーク間から測定され得る。例えば、図３Ｃおよび図４Ａに示されるように、２つの連続する凹状隆起部１４２は、Ｅ１の長さを有し、テクスチャー加工されたパターンの全体にわたって繰り返され得る。したがって、連続する各凹状隆起部１４２の長さＥ１は、同じであり得る。
【００６９】
ある実施形態では、２つの連続する凹状溝部１４４間の距離は、テクスチャー加工されたパターン全体にわたって一貫しているか、または同じであり得る。換言すれば、当該距離は、連続する凸状溝部１４４の谷間から谷間まで測定され得る。例えば、図３Ｃおよび図４Ａに示されるように、２つの連続する凹状凸部１４４は、Ｅ２の長さを有し、テクスチャー加工されたパターンの全体にわたって繰り返され得る。したがって、各連続する凸面溝部１４４の長さＥ２は、同じであり得る。
【００７０】
ある実施形態では、凹状隆起部１４２の長さＥ１および凸状溝部１４４の長さＥ２は、同じであり得る。ある実施形態では、長さＥ１およびＥ２は、異なり得る。例えば、長さＥ１は、長さＥ２より大きくても、または、小さくてもよい。
【００７１】
ある実施形態では、長さＥ１およびＥ２を凹部１３５の長さＦ１と比較するとき、長さＥ１および／またはＥ２は、長さＦ１に関して異なり得る。例示的な実施形態では、図３Ｃおよび図４Ｂに示されるように、長さＦ１は、長さＥ１および／またはＥ２よりも大きくなり得る。ある実施形態では、長さＦ１は、長さＥ１および／またはＥ２より小さくなり得る。ある実施形態では、長さＦ１は、長さＥ１および／またはＥ２と同じであり得る。
【００７２】
ある実施形態では、第２カバー部１３８は、図３Ｂおよび図３Ｃに示されるように、端部１５２を含み得る。端部１５２は、第１カバー部１３６の一部分と相互作用するように構成され得る。ある実施形態では、端部１５２は、コンピューティング装置１００の側壁の一部分を形成するように、第２カバー部１３８の周縁に形成され得る。
【００７３】
第１カバー部１３６および第２カバー部１３８の湾曲した側壁の輪郭のため、端部１５２における深さＴ１（例えば、第２カバー部１３９の上面１３９ａと下面１３９ｂとの距離）は、第２カバー部１３８の他の部分における深さより大きくなり得る。例えば、深さＴ１は、頂面１３９ａと凹状隆起部１４２のうちの１つの底面との間の距離である深さＴ２より大きくてもよい。ある実施形態では、深さＴ１およびＴ２は、同じであり得る。
【００７４】
ある実施形態では、ラッチ１６１が、表示部１０２を基部１０４に引っ掛けて表示部１０２を開放から保持するために、基部１０４に形成され得る。一つの例示的な実施形態では、ラッチ１６１は、基部１０４から上方に延び、表示部１０２の内部空間内に延びる。ある実施形態では、ラッチ１６１は、Ｌ字形であり得る。
【００７５】
図６は、本明細書で説明される技術と共に使用され得る汎用のコンピュータ装置６００および汎用のモバイルコンピュータ装置６５０の例を示す。コンピュータ装置６００および／またはモバイルコンピュータ装置６５０に関して説明される特徴は、上述のポータブルコンピューティング装置１００に含まれ得る。コンピューティング装置６００は、ラップトップ、デスクトップ、ワークステーション、携帯情報端末、サーバ、ブレードサーバ、メインフレーム、および他の適切なコンピュータのような、様々な形態のデジタルコンピュータを表すことを意図されている。コンピューティング装置６５０は、携帯情報端末、携帯電話、スマートフォン、および他の同様のコンピューティング装置のような、様々な形態のモバイル装置を表すことを意図されている。本明細書に示される構成要素、それらの接続および関係、ならびにそれらの機能は、例示的なものにすぎず、本明細書で説明および／または権利主張される本発明の実施形態を限定することを意図していない。
【００７６】
コンピューティング装置６００は、プロセッサ６０２と、メモリ６０４と、記憶装置６０６と、メモリ６０４および高速拡張ポート６１０に接続する高速インターフェイス６０８と、低速バス６１４および記憶装置６０６に接続する低速インターフェイス６１２とを含む。構成要素６０２，６０４，６０６，６０８，６１０，および６１２の各々は、様々なバスを使用して相互接続され、共通のマザーボードに、または必要に応じて他の方法で実装され得る。プロセッサ６０２は、高速インターフェイス６０８に結合されたディスプレイ６１６のような外部入力／出力装置上にＧＵＩのためのグラフィカル情報を表示するために、メモリ６０４または記憶装置６０６に格納された命令を含む、コンピューティング装置６００内で実行するための命令を処理し得る。他の実施形態では、複数のプロセッサおよび／または複数のバスが、必要に応じて、複数個のメモリおよび種類のメモリと共に使用され得る。また、複数のコンピューティング装置６００が接続されることができ、各装置は、（例えば、サーババンク、ブレードサーバのグループ、またはマルチプロセッサシステムとして）必要な動作の部分を提供する。
【００７７】
メモリ６０４は、コンピューティング装置６００内の情報を記憶する。一実施形態では、メモリ６０４は１つまたは複数の揮発性メモリユニットである。別の実施形態では、メモリ６０４は、１つまたは複数の不揮発性メモリユニットである。メモリ６０４はまた、磁気または光ディスクのような別の形態のコンピュータ読み取り可能な媒体であり得る。
【００７８】
記憶装置６０６は、コンピューティング装置６００に大容量ストレージを提供できる。一実施形態では、記憶装置６０６は、フロッピー（登録商標）ディスクデバイス、ハードディスクデバイス、光学ディスクデバイス、またはテープデバイス、フラッシュメモリもしくは他の同様のソリッドステートメモリデバイス、または、記憶領域ネットワークもしくは他の構成内のデバイスを含むデバイスのアレイのような、コンピュータ読み取り可能な媒体であり得るか、またはそれを含み得る。コンピュータプログラム製品は、情報担体において有形に具現化され得る。コンピュータプログラム製品はまた、実行されると、上述の方法のような１つまたは複数の方法を実行する命令を含み得る。当該情報担体は、メモリ６０４、記憶装置６０６、またはプロセッサ６０２上のメモリのようなコンピュータ読み取り可能な媒体または機械読み取り可能な媒体である。
【００７９】
高速コントローラ６０８は、コンピューティング装置６００のための帯域幅集約的な動作を管理する一方、低速コントローラ６１２は、より低い帯域幅集約的な動作を管理する。機能のそのような割り当ては、例示にすぎない。一実施形態では、高速コントローラ６０８は、メモリ６０４に、（例えば、グラフィックプロセッサまたはアクセラレータを介して）ディスプレイ６１６に、および、様々な拡張カード（図示しない）を受け入れることができる高速拡張ポート６１０に、結合される。当該実施形態では、低速コントローラ６１２は、記憶装置６０６および低速拡張ポート６１４に結合される。様々な通信ポート（例えば、ＵＳＢ、ブルートゥース（登録商標）、イーサネット（登録商標）、ワイヤレスイーサネット（登録商標））を含み得る低速拡張ポートは、例えば、ネットワークアダプタを介して、キーボード、ポインティング装置、スキャナ、またはスイッチもしくはルータのようなネットワーキング装置のような、１つまたは複数の入力／出力装置に結合され得る。
【００８０】
コンピューティング装置６００は、図に示されるように、いくつかの異なる形態で実施され得る。例えば、それは、標準サーバ６２０として、またはそのようなサーバのグループにおいて複数回実装され得る。それは、また、ラックサーバシステム６２４の一部として実施され得る。それは、さらに、ラップトップコンピュータ６２２のようなパーソナルコンピュータにおいて実施され得る。代替的には、コンピューティング装置６００からの構成要素は、装置６５０のようなモバイル装置（図示しない）内の他の構成要素と組み合わされ得る。そのような装置の各々は、コンピューティング装置６００、６５０のうちの１つまたは複数を含み得、システム全体が、互いに通信する複数のコンピューティング装置６００、６５０から構成され得る。
【００８１】
コンピューティング装置６５０は、特に、プロセッサ６５２、メモリ６６４、ディスプレイ６５４のような入力／出力装置、通信インターフェイス６６６、およびトランシーバ６６８を含む。装置６５０はまた、追加のストレージを提供するために、マイクロドライブまたは他の装置のような記憶装置を備え得る。構成要素６５０，６５２，６６４，６５４，６６６，および６６８の各々は、様々なバスを使用して相互接続され、構成要素のいくつかは、共通のマザーボードに、または必要に応じて他の方法で、実装され得る。
【００８２】
プロセッサ６５２は、メモリ６６４に格納された命令を含む、コンピューティング装置６５０内で命令を実行できる。プロセッサは、別個の複数のアナログおよびデジタルプロセッサを含むチップのチップセットとして実装され得る。プロセッサは、たとえば、ユーザインターフェイス、装置６５０によって実行されるアプリケーション、および装置６５０によるワイヤレス通信の制御のような、装置６５０の他の構成要素の協調を提供し得る。
【００８３】
プロセッサ６５２は、ディスプレイ６５４に結合された制御インターフェイス６５８およびディスプレイインターフェイス６５６を介してユーザと通信し得る。ディスプレイ６５４は、例えば、ＴＦＴ  ＬＣＤ（Thin-Film-Transistor  Liquid  Crystal  display）またはＯＬＥＤ（Organic  Light  Emitting  Diode）ディスプレイ、または他の適切なディスプレイ技術であり得る。ディスプレイインターフェイス６５６は、グラフィックおよび他の情報をユーザに提示するためにディスプレイ６５４を駆動するための適切な回路を備え得る。制御インターフェイス６５８は、ユーザからコマンドを受信し、それらを変換してプロセッサ６５２に提出することができる。加えて、外部インターフェイス６６２は、装置６５０と他の装置との近距離通信を可能にするように、プロセッサ６５２と通信して提供され得る。外部インターフェイス６６２は、たとえば、ある実施形態では有線通信のため、または他の実施形態では無線通信のために提供することができ、複数のインターフェイスも使用され得る。
【００８４】
メモリ６６４は、コンピューティング装置６５０内の情報を記憶する。メモリ６６４は、１つまたは複数のコンピュータ可読媒体、１つまたは複数の揮発性メモリユニット、または、１つまたは複数の不揮発性メモリユニットのうちの、１つまたは複数として実装され得る。拡張メモリ６７４はまた、例えば、ＳＩＭＭ（Single  Inline  Memory  Module）カードインターフェイスを含み得る拡張インターフェイス６７２を介して装置６５０に提供および接続され得る。そのような拡張メモリ６７４は、装置６５０のための追加の記憶空間を提供でき、または、装置６５０のためのアプリケーションまたは他の情報を記憶し得る。具体的には、拡張メモリ６７４は、上述のプロセスを実行または補足するための命令を含むことができ、また、機密がしっかりした情報も含み得る。したがって、例えば、拡張メモリ６７４は、装置６５０のためのセキュリティモジュールとして提供されてもよく、また、装置６５０の安全な使用を可能にする命令でプログラムされ得る。加えて、セキュアなアプリケーションは、ＳＩＭＭカード上に識別情報をハッキング不能な態様で置くように、追加の情報と共に、ＳＩＭＭカードを介して提供され得る。
【００８５】
メモリは、以下で説明されるように、たとえば、フラッシュメモリおよび／またはＮＶＲＡＭメモリを含み得る。一実施形態では、コンピュータプログラム製品は、情報担体において有形に具現化される。コンピュータプログラム製品は、実行されると、上述の方法などの１つまたは複数の方法を実行する命令を含む。情報担体は、例えばトランシーバ６６８または外部インターフェイス６６２を介して受信され得る、メモリ６６４、拡張メモリ６７４、またはプロセッサ６５２上のメモリのようなコンピュータ可読媒体または機械可読媒体である。
【００８６】
装置６５０は、必要に応じてデジタル信号処理回路を含み得る通信インターフェイス６６６を介して、無線で通信し得る。通信インターフェイス６６６は、とりわけ、ＧＳＭ（登録商標）ボイス呼、ＳＭＳ、ＥＭＳ、またはＭＭＳメッセージング、ＣＤＭＡ、ＴＤＭＡ、ＰＤＣ、ＷＣＤＭＡ（登録商標）、ＣＤＭＡ２０００、またはＧＰＲＳのような様々なモードまたはプロトコルの下で通信を提供できる。そのような通信は、例えば、無線周波数トランシーバ６６８を介して行われ得る。加えて、ブルートゥース、ＷｉＦｉ（登録商標）、または他のそのようなトランシーバ（図示しない）を用いてのように、短距離通信が発生し得る。さらに、ＧＰＳ（全地球測位システム）受信機モジュール６７０は、装置６５０上で実行するアプリケーションによって適宜使用され得る、追加のナビゲーションおよび位置に関連する無線データを装置６５０に提供できる。
【００８７】
装置６５０はまた、ユーザから発話情報を受信し、それを使用可能なデジタル情報に変換し得る音声コーデック６６０を使用して、聴覚的に通信し得る。音声コーデック６６０は、同様に、例えば装置６５０のハンドセット内のスピーカ介してのように、ユーザに聞える音を生成し得る。そのような音は、音声電話コールからの音を含むことができ、記録された音（例えば、音声メッセージ、音楽ファイルなど）を含むことができ、装置６５０上で動作するアプリケーションによって生成される音も含み得る。
【００８８】
コンピューティング装置６５０は、図に示されるように、いくつかの異なる形態で実施され得る。例えば、それは、携帯電話６８０として実装され得る。それはまた、スマートフォン６８２、携帯情報端末、または他の同様のモバイル装置の一部として実装され得る。
【００８９】
本明細書で説明される様々な技術の実施形態は、デジタル電子回路において、またはコンピュータハードウェア、ファームウェア、ソフトウェアにおいて、またはそれらの組み合せにおいて実装され得る。実施形態は、データ処理装置、例えば、プログラム可能なプロセッサ、コンピュータ、または複数のコンピュータによる実行または動作の制御のために、コンピュータプログラム製品、すなわち、情報担体、例えば、機械可読記憶装置、または伝搬信号において有形に具現化されたコンピュータプログラムとして、実装され得る。上記で説明されるコンピュータプログラムのようなコンピュータプログラムは、コンパイルされた又は解釈された言語を含む任意の形態のプログラミング言語で書かれ、独立型のプログラムとして、またはモジュール、構成要素、サブルーチン、またはコンピューティング環境において使用するのに適した他のユニットとしてを含む、任意の形態で配置され得る。コンピュータプログラムは、１つのコンピュータ上または１つのサイトの複数のコンピュータ上で実行されるように、または複数のサイトにわたって分散され、そして、通信ネットワークによって相互接続されるように配置され得る。
【００９０】
方法のステップは、入力データ上で動作し出力を生成することによって機能を実行するためのコンピュータプログラムを実行する１つまたは複数のプログラム可能なプロセッサによって実行され得る。方法のステップはまた、専用論理回路、例えばＦＰＧＡ（Field  Programmable  Gate  Array）またはＡＳＩＣ（特定用途向け集積回路）によって実行され得、また、装置が専用論理回路、例えばＦＰＧＡ（Field  Programmable  Gate  Array）またはＡＳＩＣ（特定用途向け集積回路）として実装され得る。
【００９１】
コンピュータプログラムの実行に適したプロセッサは、例として、汎用のマイクロプロセッサおよび専用のマイクロプロセッサの両方、ならびに、任意の種類のデジタルコンピュータの任意の１つまたは複数のプロセッサを含む。一般に、プロセッサは、読み取り専用メモリまたはランダムアクセスメモリまたはその両方から命令およびデータを受信する。コンピュータの要素は、命令を実行するための少なくとも１つのプロセッサと、命令およびデータを記憶するための１つまたは複数のメモリデバイスとを含み得る。一般に、コンピュータはまた、データを記憶するための１つまたは複数の大容量記憶装置、例えば、磁気、光磁気ディスク、または光ディスクを含むか、または、それらからデータを受信するか、またはそれらにデータを転送するか、またはその両方を動作可能に結合され得る。コンピュータプログラム命令およびデータを具現化するために好適な情報担体は、例えば、ＥＰＲＯＭ、ＥＥＰＲＯＭ、およびフラッシュメモリデバイスなどの例示的な半導体メモリデバイス；磁気ディスク、例えば内部ハードディスクまたは取外し可能ディスク；光磁気ディスク；ＣＤ−ＲＯＭおよびＤＶＤ−ＲＯＭディスクによってを含む、全ての形態の不揮発性メモリを含む。当該プロセッサおよびメモリは、専用の論理回路によって補われることができ、または、専用の論理回路に組み込まれ得る。
【００９２】
ユーザとの対話を提供するために、実施形態は、ユーザに情報を表示するための表示装置、例えばブラウン管（ＣＲＴ）または液晶ディスプレイ（ＬＣＤ）モニタと、ユーザがコンピュータに入力を提供できるキーボードおよびポインティングデバイス、例えばマウスまたはトラックボールと、有するコンピュータ上で実装され得る。他の種類のデバイスも、同様に、ユーザとの相互作用を提供するために使用され得る。例えば、ユーザに提供されるフィードバックは、任意の形態の感覚フィードバック、例えば、視覚フィードバック、聴覚フィードバック、または触覚フィードバックであり得る。また、ユーザからの入力は、音響、音声、または触覚入力を含む任意の形態で受信され得る。
【００９３】
実施形態は、例えばデータサーバとしてバックエンド構成要素を含む、またはミドルウェア構成要素、例えばアプリケーションサーバを含む、または、フロントエンド構成要素、例えば、グラフィカルユーザインターフェイスもしくはユーザが実装と対話できるウェブブラウザを有するクライアントコンピュータを含む、または、そのようなバックエンド、ミドルウェア、またはフロントエンド構成要素の任意の組み合わせを含むコンピューティングシステムにおいて実装され得る。構成要素は、任意の形態または媒体のデジタルデータ通信、例えば通信ネットワークによって相互接続され得る。通信ネットワークの例は、ローカルエリアネットワーク（ＬＡＮ）と、ワイドエリアネットワーク（ＷＡＮ）たとえばインターネットと、を含む。
【００９４】
本明細書で説明される例示的な実施形態に従うコンピューティング装置は、ユーザデバイス、ユーザインターフェイス（ＵＩ）装置、ユーザ端末、クライアント装置、または顧客装置を含む、ユーザとインターフェイスするために構成されたハードウェアおよび／またはソフトウェアの任意の適切な組み合せを使用して実装され得る。当該コンピューティング装置は、例えばラップトップコンピュータのようなポータブルコンピューティング装置として実装され得る。当該コンピューティング装置は、例えば、ＰＤＡ、ノートブックコンピュータ、またはタブレットコンピュータのような、ユーザとインターフェイスするように適合された何らかの他のタイプのポータブルコンピューティング装置として実装され得る。当該コンピューティング装置は、例えば、ＰＣのような、ユーザとインターフェイスするように適合された何らかの他のタイプのコンピューティング装置として実装され得る。当該コンピューティング装置は、ユーザとインターフェイスするために、かつ、モバイル通信ネットワークを含むネットワーク上で無線通信するために適合された携帯通信装置（例えば、携帯電話、スマートフォン、ワイヤレス携帯電話など）として、実装され得る。
【００９５】
コンピュータシステム（例えば、コンピューティング装置）は、無線周波数（ＲＦ）、マイクロ波周波数（ＭＷＦ）、および／または赤外線周波数（ＩＲＦ）の無線通信技術およびネットワーク上での通信に適合されたプロトコルを含む任意の公知の無線通信技術およびプロトコルを使用して、ネットワークサーバと確立された通信リンクを介してネットワーク上でネットワークサーバと無線通信するように構成され得る。
【００９６】
本開示の態様によれば、本明細書で説明される様々な技術の実施形態は、デジタル電子回路において、またはコンピュータハードウェア、ファームウェア、ソフトウェアにおいて、またはそれらの組み合わせにおいて実装され得る。実施形態は、データ処理装置（例えば、プログラム可能なプロセッサ、コンピュータ、または複数のコンピュータ）による処理のための、または、データ処理装置（例えば、プログラム可能なプロセッサ、コンピュータ、または複数のコンピュータ）の動作を制御するための、コンピュータプログラム製品（例えば、情報担体、機械可読記憶装置、コンピュータ可読媒体、有形コンピュータ可読媒体において有形に具現化されるコンピュータプログラム）として実装され得る。ある実施形態では、有形のコンピュータ可読記憶媒体は、実行されるとプロセッサにプロセスを実行させる命令を記憶するように構成され得る。上記で説明されるコンピュータプログラムのようなコンピュータプログラムは、コンパイルされたまたは解釈された言語を含む、任意の形態のプログラミング言語で書かれることができ、スタンドアローンのプログラムとして、または、モジュール、構成要素、サブルーチン、またはコンピューティング環境での使用に適した他のユニットとしてを含む任意の形態で展開され得る。コンピュータプログラムは、１つのコンピュータ上で、または１つのサイトにおける複数のコンピュータ上で処理されるように、または、複数のサイトにわたって分散され、通信ネットワークによって相互接続されるように展開され得る。
【００９７】
本明細書に開示される具体的な構造上のおよび機能的な詳細は、例示的な実施形態を説明する目的のためだけの代表例である。例示的な実施形態は、しかしながら、多くの代替形態で具現化されてもよく、本明細書に記載される実施形態のみに限定されると解釈されるべきではない。
【００９８】
本明細書で使用される専門用語は、特定の実施形態を説明する目的のためだけのものであり、実施形態を限定することを意図するものではない。本明細書で使用される場合、単数形「a」、「an」、および「the」は、文脈が明確にそうでないことを示さない限り、複数形も含むことが意図される。本明細書で使用される場合、用語「備える」、「備えている」、「含む」、および／または「含んでいる」は、記載された特徴、ステップ、動作、要素、および／または構成要素の存在を特定するが、１つまたは複数の他の特徴、ステップ、動作、要素、構成要素、および／またはそれらのグループの存在または追加を排除しないことがさらに理解されるであろう。
【００９９】
ある要素が、他の要素に「結合される」、「接続される」、「応答する」、または「上にある」と言及される場合、それは、当該他の要素に直接に結合され、接続され、または応答し、あるいは、介在する要素が存在し得ることが理解されるであろう。対照的に、ある要素が、別の要素に「直接結合される」、「直接接続される」、または「直接応答する」、または「直接上にある」と称される場合、介在する要素は存在しない。本明細書で使用される場合、用語「および／または」は、関連する列挙された項目の１つまたは複数の任意の全ての組み合わせを含む。
【０１００】
空間的に相対的な用語、例えば「下方に（beneath）」、「下の（below）」、「他より下にある（lower）」、「上方に（above）」、「上部の（upper）」などは、本明細書では、図に示される別の要素または特徴と関連して１つの要素または特徴を記述する説明を容易にするために使用され得る。空間的に相対的な用語は、図に示される向きに加えて、使用中または動作中の装置の異なる向きを包含することを意図されていることが理解されるであろう。例えば、図中の装置が反転された場合、他の要素または特徴の「下の」または「下方に」として記載された要素は、当該他の要素または特徴の「上方」に位置される。したがって、「下の（below）」という用語は、上および下の両方の向きを包含し得る。当該装置は、他の状態に向けられても良く（９０度または他の向きで回転され）、本明細書で使用される空間的に相対的な記述子は、それに応じて解釈され得る。
【０１０１】
本発明の概念の例示的な実施形態は、例示的な実施形態の理想化された実施形態（および中間の構造）の概略図である断面図を参照して本明細書で説明される。したがって、例えば、製造技術および／または公差の結果としての図の形状からの変形は、予期されるべきである。ゆえに、本発明の概念の例示的な実施形態は、本明細書に例示される領域の特定の形状に限定されると解釈されるべきではなく、例えば、製造に起因する形状のずれ（deviation）を含むべきである。したがって、図に示される領域は、本質的に概略図であり、それらの形状は、装置の領域の実際の形状を示すことを意図するものではなく、また、例示的な実施形態の範囲を限定することを意図するものではない。
【０１０２】
「第１」、「第２」等の用語は、本明細書では様々な要素を記述するために使用され得るが、これらの要素は、これらの用語によって限定されるべきではないことが理解されるであろう。これらの用語は、１つの要素を別の要素から区別するためにのみ使用される。したがって、「第１」要素は、現在の実施形態の教示から逸脱することなく、「第２」要素と呼ばれ得る。
【０１０３】
特に定義しない限り、本明細書で使用される（技術用語および科学用語を含む）全ての用語は、本発明の概念が属する当業者によって一般に理解されるものと同じ意味を有する。さらに理解されるように、一般に使用される辞書で定義される語句のような用語は、関連技術および／または本明細書の文脈におけるそれらの意味と一致する意味を有すると解釈されるべきであり、本明細書で明示的にそのように定義されない限り、理想化された又は過度に形式的な意味で解釈されるべきではない。
【０１０４】
説明される実施形態のいくつかの特徴が本明細書に記載されるように例示されてきたが、多くの修正、置換、変更、および均等物が、当業者には想起されるであろう。したがって、添付の特許請求の範囲は、実施形態の範囲内に含まれるそのような全ての修正および変更を網羅することを意図していることが理解されるべきである。それらは、限定ではなく例として提示されたにすぎず、形態および詳細の様々な変更が行われ得ることを理解されたい。本明細書で説明される装置および／または方法の任意の部分は、相互に排他的な組み合わせを除き、任意の組み合わせで組み合わせられ得る。本明細書で説明される実施形態は、説明される異なる実施形態の機能、構成要素、および／または特徴の様々な組み合わせおよび／またはサブコンビネーションを含み得る。
【図１Ａ】
2021532452.tif 000003
【図１Ｂ】
2021532452.tif 000004
【図１Ｃ】
2021532452.tif 000005
【図１Ｄ】
2021532452.tif 000006
【図１Ｅ】
2021532452.tif 000007
【図１Ｆ】
2021532452.tif 000008
【図１Ｇ】
2021532452.tif 000009
【図１Ｈ】
2021532452.tif 000010
【図１Ｉ】
2021532452.tif 000011
【図１Ｊ】
2021532452.tif 000012
【図２Ａ】
2021532452.tif 000013
【図２Ｂ】
2021532452.tif 000014
【図２Ｃ】
2021532452.tif 000015
【図２Ｄ】
2021532452.tif 000016
【図２Ｅ】
2021532452.tif 000017
【図２Ｆ】
2021532452.tif 000018
【図２Ｇ】
2021532452.tif 000019
【図２Ｈ】
2021532452.tif 000020
【図３Ａ】
2021532452.tif 000021
【図３Ｂ】
2021532452.tif 000022
【図３Ｃ】
2021532452.tif 000023
【図４Ａ】
2021532452.tif 000024
【図４Ｂ】
2021532452.tif 000025
【図４Ｃ】
2021532452.tif 000026
【図５Ａ】
2021532452.tif 000027
【図５Ｂ】
2021532452.tif 000028
【図５Ｃ】
2021532452.tif 000029
【図５Ｄ】
2021532452.tif 000030
【図５Ｅ】
2021532452.tif 000031
【図５Ｆ】
2021532452.tif 000032
【図５Ｇ】
2021532452.tif 000033
【図６】
2021532452.tif 000034
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
ディスプレイを含む表示部と、
前記表示部に回転可能に取り付けられた基部とを備え、前記基部は、
第１カバー部と、
少なくとも１つの締結具と、
前記少なくとも１つの締結具によって第１カバー部に取り付けられた第２カバー部とを含み、前記第２カバー部は、前記第２カバー部の表面上にテクスチャー加工されたパターンを含み、前記テクスチャー加工されたパターンは、長手線に沿った方向に延在し、前記テクスチャー加工されたパターンは、交互の凹状隆起部および凸状溝部を含み、前記基部はさらに、
前記テクスチャー加工されたパターンの少なくとも１つの凹状隆起部に配置された少なくとも１つの足パッド部材を含み、前記少なくとも１つの足パッド部材は前記長手線に沿った方向に延在しており、前記少なくとも１つの足パッド部材は、前記少なくとも１つの締結部の少なくとも一部分を覆うように構成されている、ポータブルコンピューティング装置。
【請求項２】
前記基部は、前記長手線に沿った方向に延びる第１の縁部と、前記第１の縁部の反対側の、前記長手線に沿った方向に延びる第２の縁部とを含み、前記少なくとも１つの足パッド部材は、前記第１の縁部または前記第２の縁部の少なくとも一方に沿って配置されている、請求項１に記載のポータブルコンピューティング装置。
【請求項３】
前記少なくとも１つの足パッド部材は、前記第１の縁部に配置された第１の足パッド部材と、前記第２の縁部に配置された第２の足パッド部材とを含む、請求項２に記載のポータブルコンピューティング装置。
【請求項４】
前記第２カバー部の表面に凹部をさらに備え、前記凹部は、前記少なくとも１つの足パッド部材を受容するように構成されている、請求項１〜３のいずれかに記載のポータブルコンピューティング装置。
【請求項５】
前記凹部は第１の形状を有し、前記少なくとも１つの足パッド部材は第２の形状を有し、前記第２の形状は前記第１の形状と同じである、請求項４に記載のポータブルコンピューティング装置。
【請求項６】
前記少なくとも１つの締結具は、前記凹部内に配置される、請求項４または５に記載のポータブルコンピューティング装置。
【請求項７】
前記凹部は、前記長手線に沿った方向に延在する、請求項４〜６のいずれかに記載のポータブルコンピューティング装置。
【請求項８】
前記テクスチャー加工されたパターンの各凹状隆起部は、互いに対して同じ高さを有する、請求項１〜７のいずれかに記載のポータブルコンピューティング装置。
【請求項９】
前記テクスチャー加工されたパターンの少なくとも１つの凹状隆起部は、他の凹状隆起部に対して異なる高さを有する、請求項１〜８のいずれかに記載のポータブルコンピューティング装置。
【請求項１０】
前記第２カバー部は、第１の表面と、前記第１の表面の反対側の第２の表面とを含み、前記第１の表面は前記第１カバー部により近く、前記少なくとも１つの足パッド部材は、前記テクスチャー加工されたパターンの少なくとも１つの凹状隆起部よりも前記第２カバー部の第１の表面から離れて位置している、請求項１〜９のいずれかに記載のポータブルコンピューティング装置。
【請求項１１】
前記第１カバー部は第１の湾曲した側壁部を有し、前記第２カバー部は第２の湾曲した側壁部を有し、前記第２の湾曲した側壁部は、連続的な側壁を形成するために前記第１の湾曲した側壁部に位置合わせされており、前記凹状隆起部または前記凸状溝部のうちの少なくとも１つは、前記側壁を形成する、請求項１〜１０のいずれかに記載のポータブルコンピューティング装置。
【請求項１２】
前記第１の湾曲した側壁部は第１の曲率半径を有し、前記第２の湾曲した側壁部は第２の曲率半径を有し、前記第２の曲率半径は前記第１の曲率半径と同じである、請求項１１に記載のポータブルコンピューティング装置。
【請求項１３】
前記第１カバー部は、前記長手線に沿った方向に延びる第１の長さを有し、前記第２カバー部は、前記長手線に沿った方向に延びる第２の長さを有し、前記第２の長さは前記第１の長さより小さい、請求項１１に記載のポータブルコンピューティング装置。
【請求項１４】
前記第１カバー部は、前記長手線と直交する方向に延びる第３の長さを有し、前記第２カバー部は、前記長手線と直交する方向に延びる第４の長さを有し、前記第４の長さは、前記第３の長さより小さい、請求項１３に記載のポータブルコンピューティング装置。
【請求項１５】
前記第１カバー部は、第１の表面と、当該第１の表面の反対側の第２の表面とを有し、
前記第２カバー部は、第１の表面と、当該第１の表面の反対側の第２の表面とを有し、前記第２カバー部の前記第１の表面は、前記第１カバー部の前記第２の表面に結合されており、前記第２カバー部の前記第２の表面は、前記テクスチャー加工されたパターンを含み、
前記第２カバー部の前記第１の表面と１つの凹状隆起部の底面との間の距離は第１の深さを規定し、前記第２カバー部の前記第１の表面と前記少なくとも１つの足パッド部材の底面との間の距離は第２の深さを規定し、前記第２の深さは前記第１の深さより大きい、請求項１〜１４のいずれかに記載のポータブルコンピューティング装置。
【請求項１６】
前記少なくとも１つの足パッド部材は、前記基部の縁部に最も近接して位置する凹状隆起部上に結合されている、請求項１５に記載のポータブルコンピューティング装置。
【請求項１７】
前記第１カバー部は第１の湾曲した側壁部を含み、前記第２カバー部は第２の湾曲した側壁部を含み、前記第２の湾曲した側壁部は、連続的な側壁を形成するために、前記第１の湾曲した側壁部に位置合わせされている、請求項１５または１６に記載のポータブルコンピューティング装置。
【請求項１８】
ディスプレイと、
第１の湾曲した側壁部を有する第１カバー部と、
第２の湾曲した側壁部を有する第２カバー部とを備え、前記第２の湾曲した側壁部は、連続的な側壁を形成するために前記第１の湾曲した側壁部に位置合わせされており、前記第２カバー部は、前記第２カバー部の表面の上にテクスチャー加工されたパターンを含み、前記テクスチャー加工されたパターンは、交互の凹状隆起部および凸状溝部を含み、前記凹状隆起部または前記凸状溝部のうちの前記少なくとも１つは、側壁を形成する、ポータブルコンピューティング装置。
【請求項１９】
前記テクスチャー加工されたパターンは、長手線に沿った方向に延びている、請求項１８に記載のポータブルコンピューティング装置。
【請求項２０】
前記第２カバー部の前記表面に結合された少なくとも１つの足パッド部材をさらに備え、前記少なくとも１つの足パッド部材は、長手線に沿った方向に延びている、請求項１８または１９に記載のポータブルコンピューティング装置。
【請求項２１】
前記第１の湾曲した側壁部は第１の曲率半径を有し、前記第２の湾曲した側壁部は第２の曲率半径を有し、前記第２の曲率半径は前記第１の曲率半径と同じである、請求項１８〜２０のいずれかに記載のポータブルコンピューティング装置。
【請求項２２】
前記第１カバー部は、長手線に沿った方向に延びる第１の長さを有し、前記第２カバー部は、前記長手線に沿った方向に延びる第２の長さを有し、前記第２の長さは前記第１の長さより小さい、請求項１８〜２１のいずれかに記載のポータブルコンピューティング装置。
【請求項２３】
前記第１カバー部は、前記長手線に沿って直角方向に延びる第３の長さを有し、前記第２カバー部は、前記長手線に沿って直角方向に延びる第４の長さを有し、前記第４の長さは前記第３の長さより小さい、請求項１８〜２２のいずれかに記載のポータブルコンピューティング装置。
【請求項２４】
基部を備え、前記基部は、
第１の表面と、前記第１の表面に対向する第２の表面とを有する第１カバー部と、
第１の表面と、当該第１の表面に対抗する第２の表面とを有する第２カバー部とを含み、前記第２カバー部の前記第１の表面は前記第１カバー部の前記第２の表面に結合されており、前記第２カバー部の前記第２の表面はテクスチャー加工されたパターンを含み、前記テクスチャー加工されたパターンは交互の凹状隆起部と凸状溝部とを含み、前記第２カバー部の前記第１の表面と１つの凹状隆起部の底面との間の距離は第１の深さを規定し、前記第２カバー部は、前記第２カバー部の前記第２の表面に配置された少なくとも１つの足パッド部材を含み、前記第２のカバーの前記第１の表面と前記少なくとも１つの足パッド部材の底面との間の距離は第２の深さを規定し、前記第２の深さは、前記第１の深さより大きい、ポータブルコンピューティング装置。
【請求項２５】
前記少なくとも１つの足パッド部材は、前記テクスチャー加工されたパターンの少なくとも１つの凹状隆起部上に結合されている、請求項２４に記載のポータブルコンピューティング装置。
【請求項２６】
前記少なくとも１つの足パッド部材は、前記基部の縁部に最も近接して位置する凹状隆起部上に結合されている、請求項２５に記載のポータブルコンピューティング装置。
【請求項２７】
前記第１カバー部は第１の湾曲した側壁部を含み、前記第２カバー部は第２の湾曲した側壁部を含み、前記第２の湾曲した側壁部は、連続的な側壁を形成するために、前記第１の湾曲した側壁部に位置合わせされている、請求項２４〜２６のいずれかに記載のポータブルコンピューティング装置。
【国際調査報告】
2021532452.tif 000035
2021532452.tif 000036